(57)【要約】【課題】扉内側に形成された商品格納空間や制御機器設置空間に対して設計段階の想定を超えた熱量を与えることなしに、扉上面側の着雪に対して発熱量の大部分を集中的に与えるようにした自動販売機等の融雪ヒータ装置を提供する。【解決手段】自動販売機等の扉の上面のほぼ大部分を被覆する形状寸法の断熱体の上面側に、同じ形状寸法の面状発熱体を重ねて接合し、前記面状発熱体の上面側に、ほぼ同じ形状寸法の堅牢な金属板を重ねて接合し、前記金属板の上面側の左右端部に接続ピンを立設し、左右の固定プレートの水平片の受孔を前記接続ピンに嵌め合せ、前記固定プレートの垂直片を前記扉の左右側面上部に固着し、前記面状発熱体の通電によって発生した熱量を、前記金属板上の着雪に与える。【選択図】図１
2008217717.tif 000002
【特許請求の範囲】
【請求項１】
自動販売機等の扉の上面のほぼ大部分を被覆する形状寸法の断熱体の上面側に、同じ形状寸法の面状発熱体を重ねて接合し、前記面状発熱体の上面側に、ほぼ同じ形状寸法の堅牢な金属板を重ねて接合し、前記金属板の上面側の左右端部に接続ピンを立設し、左右の固定プレートの水平片の受孔を前記接続ピンに嵌め合せ、前記固定プレートの垂直片を前記扉の左右側面上部に固着し、前記面状発熱体の通電によって発生した熱量を、前記金属板上の着雪に与えるようにした自動販売機等の融雪ヒータ装置。
【発明の詳細な説明】
【技術分野】
【０００１】
本発明は、自動販売機や配電盤用キュービクル等といった屋外設置機器の前面開口部を開閉する扉の上面側に装着され、扉上面または近傍部に着雪した雪塊が凍結することによって、扉の円滑な開放操作の障害とならないようにする融雪ヒータ装置に関する。
【背景技術】
【０００２】
自動販売機に装備される従来の融雪ヒータ装置としては、解凍モードの制御部がデイライトセンサにより光入射口を通した設置場所の照度を測定・記憶した後、センサ用ヒータを所定時間オンにして光入射口を加熱し、再度光入射口を通した照度を測定・記憶し加熱前後の照度差が所定の値以上の場合に、スイッチ用ヒータを駆動して商品選択スイッチに付着した雪を溶かすようにしたものが知られている（特許文献１参照）。
【０００３】
また、他の融雪ヒータ装置を装備した自動販売機としては、前面を開口した自動販売機本体と、自動販売機本体の前面を開閉する外扉と、自動販売機本体または外扉の所定部分を加熱するヒータとを備えた自動販売機において、外気温度を検出する温度センサと、温度センサによって検出された温度が所定温度以下になったときにヒータを起動させる制御手段とを備えたものが知られている（特許文献２参照）。
【０００４】
しかしながら、特許文献１に記載されたものは、雪が自動販売機本体の表面に付着し、商品選択スイッチの凍結により商品選択スイッチが押されてオン状態のままになるため、利用客がコインを投入すると同時に目的外の商品が払いだされたり、凍結した商品選択スイッチを利用客が押せないため、商品の選択操作ができなかったり、コイン投入口が凍結して利用客がコインの投入をできなかったりする等の不都合を解消することを課題としている。
【０００５】
また、特許文献２に記載されたものは、自動販売機本体又は外扉の所定部分が凍結することなく、自動販売機本体又は外扉の所定部分を効率的に融雪、解凍することができるとともに、融雪、解凍の必要がないときにヒータを駆動することがないので、無用にヒータを駆動することがなく、自動販売機の消費電力の増加を防ぐことを課題としている。
【０００６】
【特許文献１】特開平６−２９５３７３号公報
【特許文献２】特開２００７−３４９６８号公報
【発明の開示】
【発明が解決しようとする課題】
【０００７】
本発明の課題は、扉内側に形成された商品格納空間や制御機器設置空間に対して設計段階の想定を超えた熱量を与えることなしに、扉上面側の着雪に対して発熱量の大部分を集中的に与えるようにした自動販売機等の融雪ヒータ装置を提供することである。
【課題を解決するための手段】
【０００８】
本発明の融雪ヒータ装置は、自動販売機等の扉の上面のほぼ大部分を被覆する形状寸法の断熱体の上面側に、同じ形状寸法の面状発熱体を重ねて接合し、前記面状発熱体の上面側に、ほぼ同じ形状寸法の堅牢な金属板を重ねて接合し、前記金属板の上面側の左右端部に接続ピンを立設し、左右の固定プレートの水平片の受孔を前記接続ピンに嵌め合せ、前記固定プレートの垂直片を前記扉の左右側面上部に固着し、前記面状発熱体の通電によって発生した熱量を、前記金属板上の着雪に与えるようにしたものである。
【発明の効果】
【０００９】
本発明の融雪ヒータ装置では、面状発熱体への通電によって発生した熱は、面状発熱体の下面側に接合されて、扉上面のほぼ大部分を被覆する形状寸法の断熱体によって、扉の外皮部分あるいは扉内側の商品格納空間や制御機器設置空間への熱伝導を阻止されるため、当該商品格納空間に収容された商品や制御機器設置空間に配備された各種の制御機器やセンサ類に対して、設計段階における想定を超えた熱量を与えることがなく、商品や機器類にとって不都合な熱的擾乱をもたらすことがない。
【００１０】
また、面状発熱体の上面側には堅牢な金属板が接合されており、金属板の上面側の左右端部に立設した接続ピンに左右の固定プレートの水平片のスロットを嵌め合せ、各固定プレートの垂直片を記扉の左右側面上部に固着してあるため、外部からの異物の衝突や接触によって融雪ヒータ全体が扉から脱落したり、内部の面状発熱体が損傷を受けることがなく、長期間にわたって安定的に使用することができる。
【実施例】
【００１１】
図示の実施例では、最上層の金属板１はＳＵＳ鉄板で作製されており、金属板１の周縁は下方に折り曲げられ、金属板１は全体としては薄箱ケース型に形成されている。金属板１としてはＳＵＳ鉄板が使用されており、薄箱ケース状の金属板１の横幅寸法は、機体幅に対して−１５０ｍｍ程度の設計であり、本例では１０２８ｍｍになっている。また、薄箱ケース状の金属板１の奥行き寸法は２２０ｍｍであり、厚さ寸法は１７．５ｍｍとしてある。接続ピン１３は金属板１の上面に溶接されている。
【００１２】
面状発熱体２はカーボンヒータであり、断熱体３は発泡ウレタン製であり、面状発熱体と断熱体３の接合には接着剤が使用され、積層された面状発熱体２と断熱体３は薄箱ケース状の金属板１の内側空間に収容され、接着剤によって金属板１に接合されている。面状発熱体２と断熱体３の積層物の面方向に沿った動きは、金属板１の下向きに折り曲げられた側面板部によって妨げられる。
薄箱ケース状の金属板１の前面側の側面板部１ａは途中から水平に折り返されており、断熱体３の前面部の全部または一部が外部に露出している。この露出部分によって外気との熱交換が行なわれるため、扉７の内側の商品格納空間や制御機器設置空間への熱伝導がより効率良く阻止される。
【００１３】
金属帯板のプレス加工によって作製されたヒンジ側の固定プレート４とハンドル側の固定プレート５は、それぞれの水平片４ａ，５ａにスロット状の受孔６を設けてあり、それぞれの垂直片４ｂ，５ｂにボルト孔８を設けてある。ヒンジ側の固定プレート４の水平片４ｂはヒンジガード１４との抵触を回避するために上側にオフセット形成されている。
ヒンジ側の固定プレート４は、扉７の左側面部に添接され、ボルト孔８を通るボルト９によって扉７に締付け固着されている。ハンドル側の固定プレート５は、扉７の右側面部に添接され、ボルト孔８を通るボルト９によって扉７に締付け固着されている。
【００１４】
面状発熱体２に接続されたサーモスタット部１０と配線部１１にはコーキング処理が施され、水の侵入による漏電事故を防止している。本例では、漏電ブレーカは外付けのボックスタイプであり、配線部１１の延長上に接続されている。
扉７は左端部において図示していないヒンジによって、自動販売機本体１２に枢支されている。扉７の右端部には、扉７を自動販売機本体１２に錠止するロックハンドル装置（図示していない）が装備される。
【図面の簡単な説明】
【００１５】
【図１】本発明の一実施例に係る融雪ヒータ装置の分解状態の斜視図である。
【図２】図１の融雪ヒータ装置の使用状態における平面図である。
【図３】図１の融雪ヒータ装置の使用状態における平面図である。
【符号の説明】
【００１６】
１  金属板
２  面状発熱体
３  断熱体
４  固定プレート
５  固定プレート
６  受孔
７  扉
８  ボルト孔
９  ボルト
１０  サーモスタット部
１１  配線部
１２  自動販売機本体
１３  接続ピン
１４  ヒンジガード
【図１】
2008217717.tif 000003
【図２】
2008217717.tif 000004
【図３】
2008217717.tif 000005